(57)【要約】【課題】送信対象となる外部装置へ画像を送信する場合における利便性を向上させる。【解決手段】取得部は原稿から原画像の記憶場所を特定する画像記憶情報を取得し、画像取得部は、画像記憶情報により特定される記憶場所から原画像を取得し、送信部は、原画像を、送信対象となる外部装置へ送信する。【選択図】図７
2010245790.tif 000002
【特許請求の範囲】
【請求項１】
原画像の記憶場所を特定する画像記憶情報が付加された原稿から前記画像記憶情報を取得する取得部と、
前記画像記憶情報により特定される記憶場所から前記原画像を取得する画像取得部と、
取得した前記原画像を、送信対象となる外部装置へ送信する送信部と
を備える、画像送信装置。
【請求項２】
前記原稿は、前記原画像が縮小された縮小原画像を示す、
請求項１に記載の画像送信装置。
【請求項３】
前記画像記憶情報は、ＵＲＬ（Uniform Resource Locator）である、
請求項１または２に記載の画像送信装置。
【請求項４】
前記原稿は２次元コードを示し、
前記取得部は、前記２次元コードから前記画像記憶情報を取得する、
請求項１〜３のいずれかに記載の画像送信装置。
【請求項５】
前記送信部は、電子メールを利用して、前記原画像を前記外部装置へ送信する、
請求項１〜４のいずれかに記載の画像送信装置。
【請求項６】
前記送信部は、ファクシミリ規格に従った通信を利用して、前記原画像を前記外部装置へ送信する、
請求項１〜５のいずれかに記載の画像送信装置。
【請求項７】
画像を送信するための画像送信方法であって、
原画像の記憶場所を特定する画像記憶情報が付加された原稿から前記画像記憶情報を取得する取得ステップと、
前記画像記憶情報により特定される記憶場所から前記原画像を取得する画像取得ステップと、
取得した前記原画像を、送信対象となる外部装置へ送信する送信ステップと
を備える、画像送信方法。
【請求項８】
画像を送信するための画像送信プログラムであって、
原画像の記憶場所を特定する画像記憶情報が付加された原稿から前記画像記憶情報を取得する取得ステップと、
前記画像記憶情報により特定される記憶場所から前記原画像を取得する画像取得ステップと、
取得した前記原画像を、送信対象となる外部装置へ送信する送信ステップと
をコンピュータに実行させるための画像送信プログラム。
【発明の詳細な説明】
【技術分野】
【０００１】
本発明は、画像送信装置、画像送信方法および画像送信プログラムに関し、特に、原稿を読取る処理を行う画像送信装置、画像送信方法および画像送信プログラムに関する。
【背景技術】
【０００２】
近年、紙原稿の電子化が進みつつある。そのため、紙原稿を画像データに変換し、当該画像データを管理する場面が増えつつある。
【０００３】
特許文献１には、紙原稿（紙文書）を電子化することにより得た電子画像のデータを管理するための技術が開示されている。
【先行技術文献】
【特許文献】
【０００４】
【特許文献１】特開２００４−２１６８６３号公報
【発明の概要】
【発明が解決しようとする課題】
【０００５】
多くの紙原稿の電子化により、多くの画像データを管理している状況において、ある装置が、特定の画像を送信対象となる外部装置へ送信する場合、ユーザに多くの手間をかけてしまう。多くの手間は、例えば、当該ある装置において、ユーザが画像を検索するための操作を行う手間である。
【０００６】
そのため、特定の画像を送信対象となる外部装置へ送信する場合、利便性が悪いという問題がある。
【０００７】
本発明は、上述の問題点を解決するためになされたものであって、その目的は、送信対象となる外部装置へ画像を送信する場合における利便性を向上させることを可能とする画像送信装置等を提供することである。
【課題を解決するための手段】
【０００８】
上述の課題を解決するために、この発明のある局面に従う画像送信装置は、原画像の記憶場所を特定する画像記憶情報が付加された原稿から画像記憶情報を取得する取得部と、画像記憶情報により特定される記憶場所から原画像を取得する画像取得部と、取得した原画像を、送信対象となる外部装置へ送信する送信部とを備える。
【０００９】
すなわち、取得部は原稿から原画像の記憶場所を特定する画像記憶情報を取得し、画像取得部は、画像記憶情報により特定される記憶場所から原画像を取得し、送信部は、原画像を、送信対象となる外部装置へ送信する。
【００１０】
つまり、原画像を送信対象となる外部装置へ送信する場合において、ユーザは、例えば、原画像を検索するための操作を行う必要がない。ユーザが原画像を検索するための操作を行う場合、ユーザに多くの手間が発生する。そのため、ユーザに多くの手間をかけることなく、画像送信装置は、送信対象となる外部装置へ、原画像を送信することができる。
【００１１】
したがって、送信対象となる外部装置へ画像を送信する場合における利便性を向上させることができる。
【００１２】
この発明の他の局面に従う画像送信方法は、原画像の記憶場所を特定する画像記憶情報が付加された原稿から画像記憶情報を取得する取得ステップと、画像記憶情報により特定される記憶場所から原画像を取得する画像取得ステップと、取得した原画像を、送信対象となる外部装置へ送信する送信ステップとを備える。
【００１３】
この発明のさらに他の局面に従う画像送信プログラムは、原画像の記憶場所を特定する画像記憶情報が付加された原稿から画像記憶情報を取得する取得ステップと、画像記憶情報により特定される記憶場所から原画像を取得する画像取得ステップと、取得した原画像を、送信対象となる外部装置へ送信する送信ステップとをコンピュータに実行させる。
【００１４】
すなわち、本発明に従う画像送信方法および画像送信プログラムによれば、原稿から原画像の記憶場所を特定する画像記憶情報が取得され、画像記憶情報により特定される記憶場所から原画像が取得され、原画像が、送信対象となる外部装置へ送信される。
【００１５】
つまり、原画像を送信対象となる外部装置へ送信する場合において、ユーザは、例えば、原画像を検索するための操作を行う必要がない。ユーザが原画像を検索するための操作を行う場合、ユーザに多くの手間が発生する。そのため、ユーザに多くの手間をかけることなく、送信対象となる外部装置へ、原画像を送信することができる。
【００１６】
したがって、送信対象となる外部装置へ画像を送信する場合における利便性を向上させることができる。
【発明の効果】
【００１７】
本発明により、送信対象となる外部装置へ画像を送信する場合における利便性を向上させることができる。
【図面の簡単な説明】
【００１８】
【図１】本実施の形態におけるネットワークシステムの構成を示す図である。
【図２】画像形成装置内のハードウエア構成を示したブロック図である。
【図３】操作パネル部の外観を示す図である。
【図４】サーバ内のハードウエア構成を示したブロック図である。
【図５】情報付加印刷処理のフローチャートである。
【図６】一例としてのコード付加画像を示す図である。
【図７】コード付加原稿読取処理のフローチャートである。
【図８】一例としての操作受付画像を示す図である。
【図９】画像記憶情報提示電子メールに示される画像記憶情報の一例を示す図である。
【図１０】一例としての操作受付画像を示す図である。
【図１１】本発明に係る画像形成装置の特徴的な第１の機能構成を示すブロック図である。
【図１２】本発明に係る画像形成装置の特徴的な第２の機能構成を示すブロック図である。
【発明を実施するための形態】
【００１９】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２０】
＜第１の実施の形態＞
（システムの構成）
図１は、本実施の形態におけるネットワークシステム１０００の構成を示す図である。図１に示されるように、ネットワークシステム１０００は、画像形成装置１００と、サーバ２０１と、端末装置２０２と、ルーター６０とを含む。
【００２１】
画像形成装置１００は、ＭＦＰ（Multifunction Peripheral）である。画像形成装置１００は、ＦＡＸ機能、コピー機能、プリンタ機能、スキャナ機能等の複数の機能を有する。なお、画像形成装置１００は、ＭＦＰに限定されることなく、たとえば、ＦＡＸ機能、コピー機能、プリンタ機能の少なくとも１つの機能を有する装置であってもよい。
【００２２】
サーバ２０１および端末装置２０２は、ＰＣ（Personal Computer）である。
【００２３】
サーバ２０１は、ネットワークシステム１０００内のファイルサーバとして動作する。
【００２４】
画像形成装置１００、サーバ２０１、端末装置２０２およびルーター６０は、ネットワーク２０に接続される。ネットワーク２０は、たとえば、ＬＡＮ（Local Area Network）である。
【００２５】
ルーター６０は、ネットワーク２０とインターネット７０とを接続する機能を有する。
【００２６】
サーバ２０１および端末装置２０２の各々は、ネットワーク２０を介して、画像形成装置１００とデータ通信を行なう。
【００２７】
なお、端末装置２０２は、ネットワークシステム１０００に含まれなくてもよい。
【００２８】
また、画像形成装置１００は、ＰＳＴＮ（Public Switched Telephone Network：公衆交換電話網）４０を利用して、画像形成装置１０１とデータ通信を行なう。
【００２９】
画像形成装置１０１は、画像形成装置１００と同じ装置である。
【００３０】
（画像形成装置）
次に、画像形成装置１００について詳細に説明する。
【００３１】
図２は、画像形成装置１００内のハードウエア構成を示したブロック図である。なお、図２には、説明のために、記録媒体５０も示している。記録媒体５０には、後述するプログラム５１が記録されている。すなわち、プログラム５１は、媒体等に記録されてプログラム製品として流通される。また、記録媒体５０もプログラム製品として流通される。
【００３２】
図２に示されるように、画像形成装置１００は、制御部１１０と、ＲＡＭ（Random Access Memory）１２０と、記憶部１２２と、記憶媒体アクセス部１３０とを備える。制御部１１０、ＲＡＭ１２０、記憶部１２２および記憶媒体アクセス部１３０は、データバス１０２に接続されている。
【００３３】
制御部１１０は、ＣＰＵ（Central Processing Unit）である。なお、制御部１１０は、ＣＰＵに限定されることなく、演算機能を有するその他の回路であってもよい。
【００３４】
ＲＡＭ１２０は、揮発性のメモリである。ＲＡＭ１２０は、制御部１１０によってデータアクセスされる。ＲＡＭ１２０は、一時的にデータを記憶するワークメモリとしての機能を有する。
【００３５】
記憶部１２２は、不揮発性のメモリである。記憶部１２２は、たとえば、ハードディスクドライブである。なお、記憶部１２２は、ハードディスクドライブに限定されることなく、不揮発性のメモリであれば、その他のメモリ（たとえば、フラッシュメモリ）であってもよい。記憶部１２２は、制御部１１０によって、データアクセスされる。記憶部１２２には、プログラム５１、その他の各種データ等が記憶されている。
【００３６】
制御部１１０は、記憶部１２２に記憶されているプログラム５１を実行し、プログラム５１に基づいて、画像形成装置１００内の各部に対する各種処理や、演算処理等を行なう。
【００３７】
記憶媒体アクセス部１３０は、制御部１１０からの指示により、プログラム５１が記憶された記録媒体５０から、プログラム５１を読み出す機能を有する。記録媒体５０に記憶されているプログラム５１は、制御部１１０が行なうインストール処理により、記憶媒体アクセス部１３０により読み出され、記憶部１２２に記憶される。このインストール処理用プログラムは、予め、記憶部１２２に格納されている。インストール処理は、制御部１１０が、インストール処理用プログラムに基づいて行なう。
【００３８】
記録媒体５０は、ＳＤ（Secure Digital）メモリーカードである。なお、記録媒体５０は、ＳＤメモリーカードに限定されることなく、データを不揮発的に記録可能なその他の媒体であってもよい。
【００３９】
画像形成装置１００は、さらに、操作パネル部３００を備える。
【００４０】
操作パネル部３００は、データバス１０２に接続されている。操作パネル部３００は、表示部３１０と、入力部３２０とを有する。
【００４１】
図３は、操作パネル部３００の外観を示す図である。
【００４２】
表示部３１０は、文字や画像等を表示する機能を有する。表示部３１０には、文字や画像等を表示する表示面が設けられる。表示部３１０は、ＬＣＤパネル（Liquid Crystal Display Panel）を使用した装置である。なお、表示部３１０は、上記以外の表示方式のパネルを使用した装置であってもよい。
【００４３】
また、表示部３１０は、ユーザが、表示面に直接触れることで、情報入力可能なタッチパネル機能を有する。表示部３１０は、ユーザが表示面にタッチした位置情報を、制御部１１０へ送信する。制御部１１０は、受信した位置情報に基づいて、所定の処理を行なう。すなわち、表示部３１０は、ユーザが画像形成装置１００を操作するためのインターフェースである。
【００４４】
入力部３２０は、数字ボタン群３２２を含む。数字ボタン群３２２は、複数の数字ボタンを含む。数字ボタン群３２２に含まれる複数の数字ボタンの各々は、ユーザにより押下されることにより、数字を入力するためのボタンである。入力部３２０は、さらに、画像形成装置１００を操作するための複数のボタンを含む。
【００４５】
入力部３２０は、当該入力部３２０に含まれる複数のボタンのうち、ユーザにより押下操作されたボタンに対応するボタン信号を、制御部１１０へ送信する。制御部１１０は、受信したボタン信号に基づいて、所定の処理を行なう。すなわち、入力部３２０は、ユーザが画像形成装置１００を操作するためのインターフェースである。以下においては、ユーザによる、表示部３１０の表示面に対するタッチ操作または入力部３２０の操作を、インターフェース操作Ｍともいう。
【００４６】
再び、図２を参照して、画像形成装置１００は、さらに、スキャナ部１５０と、印刷部１６０と、通信部１７０と、モデム１７２と、ＮＣＵ１７４とを備える。
【００４７】
スキャナ部１５０は、原稿を読み取ることにより画像を取得する機能を有する。原稿は、例えば、紙等の記録媒体である。以下においては、スキャナ部１５０が原稿を読み取ることにより画像を取得する処理を、原稿読取り処理という。
【００４８】
印刷部１６０は、紙等の媒体に、指示された画像または文字を印字してプリントアウトする機能（以下、印刷機能という）を有する。以下においては、印刷部１６０が、記録媒体に、画像または文字を印字してプリントアウトするための処理を印刷処理という。
【００４９】
印刷処理における記録媒体は、例えば、紙、ＯＨＰ（Overhead Projector）フィルムなど、画像を形成することが可能な媒体であればどのような媒体であってもよい。なお、本実施の形態においては、印刷の対象となる記録媒体は、一例として、紙であるとする。
【００５０】
以下においては、記録媒体に印刷されるオリジナルの画像を、原画像という。また、以下においては、原画像のデータを、原画像データという。原画像データは、ＰＤＬ（Page Description Language）データがラスタライズ（画像化）されたデータである。ＰＤＬデータは、プリンタに対して描画を指示するためのプログラミング言語のデータである。
【００５１】
なお、画像形成装置１００は、外部からの指示に応じて、原画像データを外部装置（例えば、サーバ２０１）に記憶させるための処理を行う。以下においては、原画像データの記憶場所を特定する情報を、画像記憶情報という。
【００５２】
また、画像形成装置１００は、動作モードとして、情報付加印刷モードを有する。情報付加印刷モードとは、原画像データを外部装置に記憶させる場合において、画像記憶情報と、縮小原画像とを１枚の記録媒体（紙）に印刷するためのモードである。縮小原画像は、原画像を縮小した画像である。
【００５３】
通信部１７０は、有線技術または無線技術を利用して、ネットワーク２０に接続される装置とデータ通信を行なう機能を有する。有線技術は、たとえば、イーサネット（登録商標）に基づく技術である。なお、有線技術は、イーサネット（登録商標）に基づく技術に限定されることなく、その他の有線技術であってもよい。
【００５４】
無線技術は、たとえば、ＩＥＥＥ８０２．１１ｇに基づく技術である。なお、無線技術は、ＩＥＥＥ８０２．１１ｇに基づく技術に限定されることなく、その他の無線技術であってもよい。
【００５５】
モデム１７２は、ファクシミリ規格に従った通信（以下、ファクシミリ通信という）を行う機能を有する。モデム１７２は、ファクシミリ通信において、送信対象となる画像データを変調する。また、モデム１７２は、ファクシミリ通信において、外部から受信した画像データを復調する。
【００５６】
ＮＣＵ１７４は、ＰＳＴＮ４０と接続される回線終端装置である。
【００５７】
（サーバ）
次に、サーバ２０１について詳細に説明する。
【００５８】
図４は、サーバ２０１内のハードウエア構成を示したブロック図である。
【００５９】
図４に示されるように、サーバ２０１は、制御部２１０と、ＲＡＭ（Random Access Memory）２２０と、記憶部２２２と、通信部２７０とを備える。
【００６０】
制御部２１０、ＲＡＭ２２０、記憶部２２２および通信部２７０は、データバス２０４に接続されている。
【００６１】
制御部２１０は、ＣＰＵである。なお、制御部２１０は、ＣＰＵに限定されることなく、演算機能を有するその他の回路であってもよい。
【００６２】
ＲＡＭ２２０は、揮発性のメモリである。ＲＡＭ２２０は、制御部２１０によってデータアクセスされる。ＲＡＭ２２０は、一時的にデータを記憶するワークメモリとしての機能を有する。
【００６３】
記憶部２２２は、不揮発性のメモリである。記憶部２２２は、たとえば、ハードディスクドライブである。なお、記憶部２２２は、ハードディスクドライブに限定されることなく、不揮発性のメモリであれば、その他のメモリ（たとえば、フラッシュメモリ）であってもよい。記憶部２２２は、制御部２１０によって、データアクセスされる。記憶部２２２には、プログラム９１、後述する原画像データ９２、その他の各種データ等が記憶されている。
【００６４】
制御部２１０は、記憶部２２２に記憶されているプログラム９１を実行し、プログラム９１に基づいて、サーバ２０１内の各部に対する各種処理や、演算処理等を行なう。
【００６５】
通信部２７０は、有線技術を利用して、ネットワーク２０に接続される装置とデータ通信を行なう機能を有する。有線技術は、たとえば、イーサネット（登録商標）に基づく技術である。なお、有線技術は、イーサネット（登録商標）に基づく技術に限定されることなく、その他の有線技術であってもよい。
【００６６】
（印刷処理）
次に、動作モードが情報付加印刷モードである画像形成装置１００が印刷処理を行う場合の処理（以下、情報付加印刷処理という）について説明する。
【００６７】
ここで、端末装置２０２が、印刷データを、画像形成装置１００へ送信したとする。本実施の形態において、印刷データは、印刷対象データに基づく画像を、記録媒体としての紙に印刷させるためのデータであるとする。印刷対象データは、例えば、文書を作成するためのアプリケーションにより生成されたテキストデータである。また、印刷データは、端末装置２０２に予めインストールされたプリンタドライバにより、印刷対象データがＰＤＬデータに変換されたデータであるとする。
【００６８】
図５は、情報付加印刷処理のフローチャートである。
【００６９】
ステップＳ１１１では、制御部１１０が、印刷データを受信したか否かを判定する。ステップＳ１１１において、ＹＥＳならば処理はステップＳ１１２に移行する。一方、ステップＳ１１１において、ＮＯならば、再度、ステップＳ１１１の処理が行われる。
【００７０】
ステップＳ１１２では、画像データ生成処理が行われる。画像データ生成処理では、制御部１１０が、受信したＰＤＬデータとしての印刷データをラスタライズ（画像化）することにより、原画像データを生成する。
【００７１】
ステップＳ１１３では、画像データ記憶処理が行われる。画像データ記憶処理では、制御部１１０が、生成した原画像データと、データ記憶命令とを、サーバ２０１へ送信する。データ記憶命令は、送信した原画像データを、サーバ２０１に記憶させるための命令である。
【００７２】
サーバ２０１の制御部２１０は、原画像データおよびデータ記憶命令の受信に応じて、原画像データを、記憶部２２２に記憶させる。これにより、記憶部２２２に記憶された原画像データが、原画像データ９２である。そして、制御部２１０は、原画像データの記憶場所を特定する情報である画像記憶情報を、画像形成装置１００へ送信する。画像記憶情報は、ＵＲＬ（Uniform Resource Locator）である。なお、画像記憶情報は、ＵＲＬに限定されることなく、例えば、ファイルパス等であってもよい。
【００７３】
画像形成装置１００の制御部１１０は、画像記憶情報を受信し、受信した画像記憶情報をＲＡＭ１２０に記憶させる。
【００７４】
ステップＳ１１４では、コード画像生成処理が行われる。コード画像生成処理では、制御部１１０が、受信したＵＲＬとしての画像記憶情報を示すコード画像を生成する。生成されたコード画像は、受信したＵＲＬとしての画像記憶情報を示す２次元コードを示す画像である。
【００７５】
２次元コードは、例えば、ＱＲコード（登録商標）である。なお、コード画像は、２次元コードに限定されることなく、１次元コードを示す画像であってもよい。１次元コードは、例えば、バーコードである。
【００７６】
ステップＳ１１５では、コード付加印刷処理が行われる。コード付加印刷処理では、制御部１１０が、原画像データが示す原画像を縮小することにより縮小原画像を生成する。そして、制御部１１０は、コード画像および縮小原画像を記録媒体（紙）に印刷させる処理を、印刷部１６０に実行させる。
【００７７】
以下においては、コード画像および縮小原画像が印刷された記録媒体を、コード付加原稿という。すなわち、コード付加印刷処理により、コード付加原稿が生成される。コード画像は、画像記憶情報を示す２次元コードを示す画像である。つまり、コード付加原稿は、画像記憶情報が付加された原稿である。コード付加原稿は、例えば、以下のコード付加画像４００が印刷された原稿である。
【００７８】
図６は、一例としてのコード付加画像４００を示す図である。
【００７９】
図６に示されるように、コード付加画像４００は、コード画像４１０と、縮小原画像４２０とを示す。縮小原画像４２０の画質は、当該縮小原画像４２０に対応する原画像の画質より低い。コード画像４１０は、縮小原画像４２０に対応する原画像データの記憶場所を特定する、画像記憶情報としてのＵＲＬを示す。
【００８０】
（原稿の読取り）
次に、画像形成装置１００が行う、コード付加原稿を読取るための処理（以下、コード付加原稿読取処理という）について説明する。
【００８１】
ここで、画像形成装置１００は、図示しないＡＤＦ（Auto Document Feeder）を備えるとする。また、ユーザにより、画像形成装置１００のＡＤＦにコード付加原稿が置かれたとする。そして、ユーザが、コード付加原稿読取り操作を行ったとする。コード付加原稿読取り操作は、ＡＤＦに置かれたコード付加原稿を、スキャナ部１５０に読取らせるためのインターフェース操作Ｍである。
【００８２】
コード付加原稿読取処理は、コード付加原稿読取り操作が行われることにより、画像形成装置１００により実行される。この場合、画像形成装置１００内の原稿を搬送する装置（図示せず）により、コード付加原稿は、スキャナ部１５０により当該コード付加原稿が読取り可能な位置へ搬送される。ここで、スキャナ部１５０により読取られるコード付加原稿は、一例として、図６のコード付加画像４００が印刷された原稿であるとする。
【００８３】
図７は、コード付加原稿読取処理のフローチャートである。
【００８４】
ステップＳ２１１では、画像取得処理が行われる。画像取得処理では、スキャナ部１５０が、コード付加原稿を読取ることによりコード付加画像を取得する。そして、スキャナ部１５０は、取得したコード付加画像を、制御部１１０へ送信する。ここで、コード付加画像は、図６のコード付加画像４００であるとする。
【００８５】
ステップＳ２１２では、情報取得処理が行われる。情報取得処理では、制御部１１０が、コード付加画像に示されるコード画像が示す２次元コードが示す情報（以下、コード対応情報という）を取得する。
【００８６】
２次元コードが示す情報を取得するための処理は、当該２次元コードに基づく規格に基づいた復号処理により行われる。例えば、２次元コードが、ＱＲコード（登録商標）である場合、ＱＲコード（登録商標）に基づく規格に基づいた復号処理により、２次元コードが示す情報が取得される。２次元コードが示す情報を取得するための処理は、周知な技術により行われるので詳細な説明は繰り返さない。
【００８７】
ステップＳ２１３では、制御部１１０が、取得したコード対応情報が、ＵＲＬとしての画像記憶情報であるか否かを判定する。ステップＳ２１３において、ＹＥＳならば、処理はステップＳ２１４に移行する。一方、ステップＳ２１３において、ＮＯならば、このコード付加原稿読取処理は終了する。
【００８８】
ステップＳ２１４では、制御部１１０が、ＵＲＬとしての画像記憶情報により特定される記憶場所にアクセス可能であるか否かを判定する。具体的には、制御部１１０が、通信部１７０を利用して、ＵＲＬとしての画像記憶情報により特定される記憶場所に対応する装置（例えば、サーバ２０１）にアクセス可能であるか否かを判定する。
【００８９】
ステップＳ２１４において、ＹＥＳならば、処理はステップＳ２１５に移行する。一方、ステップＳ２１４において、ＮＯならば、処理は、後述するステップＳ２３５に移行する。ここでは、アクセス可能と判定されたとする。
【００９０】
ステップＳ２１５では、制御部１１０が、以下の操作受付画像５００を生成し、生成した操作受付画像５００を、表示部３１０に表示させる。
【００９１】
図８は、一例としての操作受付画像５００を示す図である。
【００９２】
操作受付画像５００には、ボタン画像５１１，５１２，５１３，５１４が配置される。ボタン画像５１１は、押下処理されることにより、取得したコード付加画像が示す縮小原画像に対応する原画像を印刷する処理を、画像形成装置１００に実行させるためのボタン画像である。
【００９３】
ボタン画像５１２は、押下処理されることにより、ファクシミリ規格に従った通信により、取得したコード付加画像が示す縮小原画像に対応する原画像データを送信する処理を、画像形成装置１００に実行させるためのボタン画像である。ボタン画像５１３は、押下処理されることにより、取得したコード付加画像が示すコード画像が示す、ＵＲＬとしての画像記憶情報を、予め設定された送信先へ送信する処理を、画像形成装置１００に実行させるためのボタン画像である。
【００９４】
ボタン画像５１４は、押下処理されることにより、コード付加原稿読取処理を終了するためのボタン画像である。
【００９５】
なお、操作受付画像５００には、さらに、取得したコード付加画像が示す縮小原画像に対応する原画像データが記憶されている場所を示すＵＲＬが表示されていてもよい。
【００９６】
再び、図７を参照して、ステップＳ２１６では、制御部１１０が、ボタン操作が行われたか否かを判定する。ボタン操作は、図８のボタン画像５１１，５１２，５１３，５１４のいずれかを押下処理するためのインターフェース操作Ｍである。
【００９７】
ステップＳ２１６において、ＹＥＳならば、処理は、ステップＳ２１７に移行する。一方、ステップＳ２１６において、ＮＯならば、再度、ステップＳ２１６の処理が行われる。
【００９８】
ステップＳ２１７では、制御部１１０が、行われたボタン操作が、終了操作であるか否かを判定する。終了操作は、図８のボタン画像５１４を押下処理するためのインターフェース操作Ｍである。ステップＳ２１７において、ＹＥＳならば、このコード付加原稿読取処理は終了する。一方、ステップＳ２１７において、ＮＯならば、処理はステップＳ２１８に移行する。
【００９９】
ステップＳ２１８では、制御部１１０が、行われたボタン操作を判定する。ボタン操作が、ボタン画像５１１を押下処理するためのインターフェース操作Ｍである場合、制御部１１０は、操作Ａが行われたと判定し、処理はステップＳ２２１に移行する。
【０１００】
ボタン操作が、ボタン画像５１２を押下処理するためのインターフェース操作Ｍである場合、制御部１１０は、操作Ｂが行われたと判定し、処理はステップＳ２２２に移行する。ボタン操作が、ボタン画像５１３を押下処理するためのインターフェース操作Ｍである場合、制御部１１０は、操作Ｃが行われたと判定し、処理はステップＳ２２３に移行する。
【０１０１】
ステップＳ２２１では、原画像取得処理が行われる。原画像取得処理では、制御部１１０が、ＵＲＬとしての画像記憶情報により特定される記憶場所（例えば、サーバ２０１）から、取得したコード付加画像が示す縮小原画像に対応する原画像データを読み出すことにより、当該原画像データを取得する。
【０１０２】
ステップＳ２２４では、原画像印刷処理が行われる。原画像印刷処理では、制御部１１０は、取得した原画像データが示す原画像を、印刷部１６０により記録媒体（紙）に印刷させる。
【０１０３】
この処理により、ユーザは、例えば、原画像データを検索するための操作を行う必要がない。ユーザが原画像データを検索するための操作を行う場合、ユーザに多くの手間が発生する。そのため、ユーザに多くの手間をかけることなく、ユーザは、原画像が印刷された記録媒体としての原稿を容易に取得することができる。
【０１０４】
ステップＳ２２２では、画像取得処理が行われる。画像取得処理では、ステップＳ２２１の画像取得処理と同様なので詳細な説明は繰り返さない。この処理により、取得したコード付加画像が示す縮小原画像に対応する原画像データが取得される。
【０１０５】
ステップＳ２２５では、原画像送信処理が行われる。原画像送信処理では、制御部１１０は、取得した原画像データを、予め設定された送信先（以下、設定送信先という）へ送信する原画像データ送信処理を行う。設定送信先は、ユーザによる設定送信先を設定するためのインターフェース操作Ｍにより予め設定されている。
【０１０６】
原画像データ送信処理では、制御部１１０が、電子メールを利用して、設定送信先としての外部装置（以下、送信先外部装置という）へ送信する。送信先外部装置は、情報、データ等の送信対象となる外部装置である。以下においては、送信先外部装置に設定された電子メールアドレスを、送信先電子メールアドレスという。
【０１０７】
具体的には、制御部１１０は、通信部１７０を利用して、送信先電子メールアドレスを宛先とした電子メールであって、原画像データを添付した電子メールを、図示しないメールサーバへ送信する。以下においては、原画像データを添付した電子メールを、原画像添付電子メールという。
【０１０８】
メールサーバは、送信先電子メールアドレスを宛先とした原画像添付電子メールを受信すると、受信した原画像添付電子メールと、送信先電子メールアドレスとを対応づけて記憶する。
【０１０９】
メールサーバは、送信先外部装置から、電子メールの送信要求があった場合、原画像添付電子メールを、送信先外部装置へ送信する。なお、メールサーバは、プッシュ方式により、電子メールの送信要求がなくても、原画像添付電子メールを、送信先外部装置へ送信してもよい。
【０１１０】
なお、原画像データ送信処理において、原画像データを送信する手段は電子メールに限定されず、例えば、ファクシミリ規格に従った通信により行われてもよい。
【０１１１】
この場合、原画像データ送信処理では、制御部１１０が、モデム１７２およびＮＣＵ１７４を利用して、ファクシミリ規格に従った通信により、原画像データを、送信先外部装置（例えば、画像形成装置１０１）へ送信する。
【０１１２】
この処理により、原画像データを送信先外部装置へ送信する場合において、ユーザは、例えば、原画像データを検索するための操作を行う必要がない。ユーザが原画像データを検索するための操作を行う場合、ユーザに多くの手間が発生する。そのため、ユーザに多くの手間をかけることなく、画像形成装置１００は、送信対象となる外部装置へ、迅速に原画像データを送信することができる。したがって、原画像データを送信対象となる外部装置へ送信する場合における、ユーザの利便性を向上させることができる。
【０１１３】
ステップＳ２２３では、画像記憶情報送信処理が行われる。画像記憶情報送信処理では、まず、制御部１１０が、ステップＳ２１２の処理により取得した、ＵＲＬとしての画像記憶情報を示す電子メールを作成する。以下においては、画像記憶情報を示す電子メールを、画像記憶情報提示電子メールという。
【０１１４】
図９は、画像記憶情報提示電子メールに示される画像記憶情報の一例を示す図である。
【０１１５】
図９に示されるように、画像記憶情報提示電子メールには、ＵＲＬとしての画像記憶情報６１０が示される。
【０１１６】
再び、図７を参照して、ステップＳ２２３の画像記憶情報送信処理では、制御部１１０が、生成した画像記憶情報提示電子メールを、送信先電子メールアドレスを宛先として、図示しないメールサーバへ送信する。
【０１１７】
メールサーバは、送信先外部装置から、電子メールの受信要求があった場合、原画像添付電子メールを、送信先外部装置へ送信する。なお、メールサーバは、プッシュ方式により、電子メールの受信要求がなくても、画像記憶情報提示電子メールを、送信先外部装置へ送信してもよい。
【０１１８】
この処理により、送信対象となる送信先外部装置へ画像記憶情報を送信する場合において、ユーザは、例えば、キーボード等の入力装置を利用して画像記憶情報を入力するための操作を行う必要がない。ユーザが画像記憶情報を入力するための操作を行う場合、ユーザに多くの手間が発生する。そのため、ユーザに多くの手間をかけることなく、画像形成装置１００は、原画像の記憶場所を特定する画像記憶情報を、送信対象となる外部装置へ送信することができる。
【０１１９】
すなわち、送信対象となる外部装置へ画像の記憶場所を特定する情報を送信する場合における利便性を向上させることができる。
【０１２０】
なお、画像記憶情報送信処理において送信される画像記憶情報提示電子メールには、当該画像記憶情報提示電子メールが示す画像記憶情報により特定される原画像のサムネイル（縮小画像）が付加されてもよい。この場合、画像記憶情報提示電子メールを見たユーザは、ＵＲＬにアクセスしなくても、原画像の内容を容易に把握することができる。
【０１２１】
次に、ステップＳ２１４でＮＯと判定された場合、すなわち、画像記憶情報により特定される記憶場所にアクセス可能でない場合の処理について説明する。この場合、処理はステップＳ２３５に移行する。
【０１２２】
ステップＳ２３５では、制御部１１０が、以下の操作受付画像７００を生成し、生成した操作受付画像７００を、表示部３１０に表示させる。
【０１２３】
図１０は、一例としての操作受付画像７００を示す図である。
【０１２４】
操作受付画像７００には、ボタン画像５１３，５１４が配置される。
【０１２５】
図１０に示されるボタン画像５１３，５１４は、図８のボタン画像５１３，５１４と同じなので詳細な説明は繰り返さない。
【０１２６】
再び、図７を参照して、ステップＳ２３６では、制御部１１０が、ボタン操作が行われたか否かを判定する。ここで、ボタン操作は、図１０のボタン画像５１３，５１４のいずれかを押下するためのインターフェース操作Ｍである。
【０１２７】
ステップＳ２３８では、制御部１１０が、行われたボタン操作を判定する。ボタン操作が、ボタン画像５１３を押下処理するためのインターフェース操作Ｍである場合、制御部１１０は、操作Ｃが行われたと判定し、処理は前述したステップＳ２２３に移行する。
【０１２８】
ボタン操作が、終了操作である場合、このコード付加原稿読取処理は終了する。終了操作は、前述したように、ボタン画像５１４を押下処理するためのインターフェース操作Ｍである。
【０１２９】
以上説明したように、本実施の形態では、ステップＳ２２４の原画像印刷処理が行われることにより、ＵＲＬとしての画像記憶情報により特定される記憶場所（例えば、サーバ２０１）から、原画像データが取得される。そして、取得した原画像データが示す原画像が、記録媒体（紙）に印刷される。
【０１３０】
この処理により、ユーザは、例えば、原画像データを検索するための操作を行う必要がない。ユーザが原画像データを検索するための操作を行う場合、ユーザに多くの手間が発生する。そのため、ユーザに多くの手間をかけることなく、ユーザは、原画像が印刷された記録媒体としての原稿を容易に取得することができる。
【０１３１】
また、ステップＳ２２５の原画像送信処理が行われることにより、原画像データが送信先外部装置へ送信される。
【０１３２】
この処理により、原画像データを送信先外部装置へ送信する場合において、ユーザは、例えば、原画像データを検索するための操作を行う必要がない。ユーザが原画像データを検索するための操作を行う場合、ユーザに多くの手間が発生する。そのため、ユーザに多くの手間をかけることなく、画像形成装置１００は、送信対象となる外部装置へ、迅速に原画像データを送信することができる。したがって、原画像データを送信対象となる外部装置へ送信する場合における、ユーザの利便性を向上させることができる。
【０１３３】
また、ステップＳ２２３の画像記憶情報送信処理が行われることにより、画像記憶情報が送信先外部装置へ送信される。
【０１３４】
この処理により、送信対象となる送信先外部装置へ画像記憶情報を送信する場合において、ユーザは、例えば、キーボード等の入力装置を利用して画像記憶情報を入力するための操作を行う必要がない。ユーザが画像記憶情報を入力するための操作を行う場合、ユーザに多くの手間が発生する。そのため、ユーザに多くの手間をかけることなく、画像形成装置１００は、原画像の記憶場所を特定する画像記憶情報を、送信対象となる外部装置へ送信することができる。
【０１３５】
すなわち、送信対象となる外部装置へ画像の記憶場所を特定する情報を送信する場合における利便性を向上させることができる。
【０１３６】
本実施の形態では、原画像データは、ＰＤＬデータがラスタライズ（画像化）されたデータであるとした。しかしながら、これに限定されず、原画像データは、例えば、ＰＤＬデータであってもよい。
【０１３７】
（機能ブロック図）
図１１は、本発明に係る画像形成装置１００の特徴的な第１の機能構成を示すブロック図である。つまり、図１１は、図２に示されるハードウエア構成によって実現される画像形成装置１００の機能のうち、本発明に関わる機能を示すブロック図である。なお、図１１には、説明のために、制御部１１０と、スキャナ部１５０とを示す。
【０１３８】
制御部１１０は、機能的には、取得部１１１と、画像取得部１１２と、送信部１１３とを含む。
【０１３９】
スキャナ部１５０は、原画像の記憶場所を特定する画像記憶情報が付加された原稿を読取ることにより、コード付加画像を取得する。コード付加画像は、画像記憶情報を示すコード画像を示す。スキャナ部１５０は、取得したコード付加画像を、制御部１１０へ送信する。
【０１４０】
取得部１１１は、コード付加画像に示されるコード画像から画像記憶情報を取得する。すなわち、取得部１１１は、画像記憶情報が付加された原稿から画像記憶情報を取得する。
【０１４１】
画像取得部１１２は、画像記憶情報により特定される記憶場所から原画像を取得する。送信部１１３は、取得した原画像を、送信対象となる外部装置へ送信する。
【０１４２】
なお、制御部１１０に含まれる、取得部１１１、画像取得部１１２および送信部１１３の全てまたは一部は、ハードウエアで構成されてもよい。また、取得部１１１、画像取得部１１２および送信部１１３の全てまたは一部は、制御部１１０により実行されるプログラムのモジュールであってもよい。
【０１４３】
図１２は、本発明に係る画像形成装置１００の特徴的な第２の機能構成を示すブロック図である。つまり、図１２は、図２に示されるハードウエア構成によって実現される画像形成装置１００の機能のうち、本発明に関わる機能を示すブロック図である。なお、図１２には、説明のために、制御部１１０と、スキャナ部１５０とを示す。
【０１４４】
制御部１１０は、機能的には、取得部１１１と、送信部１１３とを含む。
【０１４５】
スキャナ部１５０は、原画像の記憶場所を特定する画像記憶情報が付加された原稿を読取ることにより、コード付加画像を取得する。コード付加画像は、画像記憶情報を示すコード画像を示す。スキャナ部１５０は、取得したコード付加画像を、制御部１１０へ送信する。
【０１４６】
取得部１１１は、コード付加画像に示されるコード画像から画像記憶情報を取得する。すなわち、取得部１１１は、画像記憶情報が付加された原稿から画像記憶情報を取得する。送信部１１３は、取得した画像記憶情報を、送信対象となる外部装置へ送信する。
【０１４７】
なお、制御部１１０に含まれる、取得部１１１および送信部１１３の全てまたは一部は、ハードウエアで構成されてもよい。また、取得部１１１および送信部１１３の全てまたは一部は、制御部１１０により実行されるプログラムのモジュールであってもよい。
【０１４８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１４９】
本発明は、送信対象となる外部装置へ画像を送信する場合における利便性を向上させることを可能とする画像送信装置として、利用することができる。また、本発明は、送信対象となる外部装置へ画像の記憶場所を特定する情報を送信する場合における利便性を向上させることを可能とする画像情報送信装置として、利用することができる。
【符号の説明】
【０１５０】
１００  画像形成装置
１１０，２１０  制御部
１２２，２２２  記憶部
１５０  スキャナ部
１６０  印刷部
１７０  通信部
２０１  サーバ
３００  操作パネル部
１０００  ネットワークシステム
【図１】
2010245790.tif 000003
【図２】
2010245790.tif 000004
【図３】
2010245790.tif 000005
【図４】
2010245790.tif 000006
【図５】
2010245790.tif 000007
【図６】
2010245790.tif 000008
【図７】
2010245790.tif 000009
【図８】
2010245790.tif 000010
【図９】
2010245790.tif 000011
【図１０】
2010245790.tif 000012
【図１１】
2010245790.tif 000013
【図１２】
2010245790.tif 000014